(57)【要約】【課題】センサから情報管理部までの通信経路に異常が発生した場合においても連絡が途絶してしまうことを回避する。【解決手段】患者に装着される生体情報測定装置３であって、患者の生体情報を検出する検出部２と、該検出部２により検出された生体情報を、複数の通信経路を介して遠隔に配置された情報管理部に送信可能な送信手段８と、情報管理部から送信されてくる信号を受信する受信手段とを備え、送信手段８は、情報管理部から送信されてくる信号が受信手段により受信されない場合に、通信経路を切り替えて生体情報を送信する生体情報測定装置３を提供する。【選択図】      図２
2007209436.tif 000002
【特許請求の範囲】
【請求項１】
患者に装着される生体情報測定装置であって、
患者の生体情報を検出する検出部と、
該検出部により検出された生体情報を、複数の通信経路を介して遠隔に配置された情報管理部に送信可能な送信手段と、
情報管理部から送信されてくる信号を受信する受信手段とを備え、
前記送信手段は、情報管理部から送信されてくる信号が受信手段により受信されない場合に、通信経路を切り替えて生体情報を送信する生体情報測定装置。
【請求項２】
前記検出部により検出された生体情報が異常か否かを判定する生体情報判定手段を備え、
前記送信手段が、近距離無線通信手段であり、前記生体情報判定手段により異常であるとの判定がなされ、かつ、情報管理部から送信されてくる信号が受信手段により受信されない場合に、送信手段の出力をより高出力に切り替えて生体情報を送信する請求項１に記載の生体情報測定装置。
【請求項３】
前記検出部により検出された生体情報が異常か否かを判定する生体情報判定手段と、
該生体情報判定手段により異常であるとの判定がなされ、かつ、情報管理部から送信されてくる信号が受信手段により受信されない場合に、生体情報の異常を外部に報知する報知手段とを備える請求項１に記載の生体情報測定装置。
【請求項４】
患者に装着され患者の生体情報を測定して送信する生体情報測定装置と、
該生体情報測定装置から送信されてきた生体情報を管理する遠隔に配置された情報管理部と、
前記生体情報測定装置と情報管理部とを接続する複数の通信経路とを備え、
前記情報管理部は、一の通信経路を介して前記生体情報測定装置に対し問い合わせ信号を送信し、該問い合わせ信号に対する生体情報測定装置からの応答信号を受信できない場合に、通信経路を切り替える生体情報測定システム。
【請求項５】
患者に装着され患者の生体情報を測定して送信する生体情報測定装置と、
該生体情報測定装置から送信されてきた生体情報を管理する遠隔に配置された情報管理部と、
前記生体情報測定装置と情報管理部とを接続する複数の通信経路とを備え、
前記生体情報測定装置は、一の通信経路を介して前記情報管理部に対し問い合わせ信号を送信し、該問い合わせ信号に対する情報管理部からの応答信号を受信できない場合に、通信経路を切り替える生体情報測定システム。
【請求項６】
前記生体情報測定装置が、測定された生体情報の異常を判定する生体情報判定手段と、生体情報を送信する近距離無線通信手段とを備えるとともに、前記生体情報判定手段により異常であるとの判定がなされ、かつ、情報管理部からの応答信号が受信されない場合に、送信手段の出力をより高出力に切り替えて生体情報を送信する請求項５に記載の生体情報測定システム。
【請求項７】
前記生体情報測定装置が、測定された生体情報が異常か否かを判定する生体情報判定手段と、該生体情報判定手段により異常であるとの判定がなされ、かつ、情報管理部から送信されてくる信号が受信手段により受信されない場合に、生体情報の異常を外部に報知する報知手段とを備える請求項５に記載の生体情報測定システム。
【発明の詳細な説明】
【技術分野】
【０００１】
本発明は、生体情報測定装置および生体情報測定システムに関する。
【背景技術】
【０００２】
従来、患者に装着されたセンサにより検出した生体情報を、無線送信手段を介して遠隔に配置された情報管理部に送信し、情報管理部に蓄積する生体情報測定システムが知られている（例えば、特許文献１参照。）。
【特許文献１】加国特許出願公開第２４６７３２６号公報
【発明の開示】
【発明が解決しようとする課題】
【０００３】
しかしながら、特許文献１の生体情報測定システムにおいては、情報管理部に収集された生体情報に異常がある場合には、情報管理部において、救急車や医師の手配等の緊急配備体制をとることができるものの、センサから情報管理部までの通信経路において異常がある場合には、情報管理部においては異常の確認ができず緊急配備体制をとることができないという問題がある。
【０００４】
本発明は上述した事情に鑑みてなされたものであって、センサから情報管理部までの通信経路に異常が発生した場合においても連絡が途絶してしまうことを回避することができる生体情報測定装置および生体情報測定システムを提供することを目的としている。
【課題を解決するための手段】
【０００５】
上記目的を達成するために、本発明は以下の手段を提供する。
本発明は、患者に装着される生体情報測定装置であって、患者の生体情報を検出する検出部と、該検出部により検出された生体情報を、複数の通信経路を介して遠隔に配置された情報管理部に送信可能な送信手段と、情報管理部から送信されてくる信号を受信する受信手段とを備え、前記送信手段は、情報管理部から送信されてくる信号が受信手段により受信されない場合に、通信経路を切り替えて生体情報を送信する生体情報測定装置を提供する。
【０００６】
本発明によれば、生体情報測定装置は、患者に装着されることにより、検出部が患者の生体情報を検出し、送信手段は、検出部が検出した生体情報を情報管理部に送信する。情報管理部からは定期的にあるいは必要に応じて問い合わせ信号等の信号が送信されており、受信手段が情報管理部からの信号を受信する。この場合において、受信手段が情報管理部からの信号を受信しないときは、当該通信経路に異常が発生していることが考えられるので、送信手段は通信経路を切り替えて生体情報を送信する。これにより、生体情報を情報管理部により確実に送信し、生体情報の管理、例えば、患者の生体情報に異常がある場合に、緊急配備体制をとることが可能となる。通信経路としては、無線通信網、電話回線網、携帯電話通信網、地上波ディジタル放送への情報多重通信網等が挙げられる。
【０００７】
上記発明においては、前記検出部により検出された生体情報が異常か否かを判定する生体情報判定手段を備え、前記送信手段が、近距離無線通信手段であり、前記生体情報判定手段により異常であるとの判定がなされ、かつ、情報管理部から送信されてくる信号が受信手段により受信されない場合に、送信手段の出力をより高出力に切り替えて生体情報を送信することとしてもよい。
【０００８】
このようにすることで、検出部により検出された生体情報は近距離無線通信手段からなる送信手段により、近距離に配置された中継点を介して情報管理部に送信される。検出部により検出された生体情報が生体情報判定手段の作動により異常であると判定されたときは緊急事態であり、迅速に情報管理部に生体情報を送信する必要があるが、情報管理部から送信されてくる信号が受信手段により受信されない場合には、通信経路に異常がある可能性が高い。本発明によれば、このような場合により出力の高い通信経路を選択することにより、近距離無線通信手段による通信距離を延長させて、より遠くの中継点に対し生体情報を送信することが可能となる。これにより、通信経路の中継点において異常が発生していても情報管理部に生体情報を送信することができる。
【０００９】
生体情報測定装置が接続している中継点から情報管理部への通信経路に異常がある場合には、その中継点から別の中継点に対してアドホック通信を行うことによりリレー式に情報を伝達し、通信の途絶を回避する。また、緊急時のみに出力を増大させるので、通常は消費電力を抑え、バッテリの消耗を抑制することができる。
【００１０】
また、上記発明においては、前記検出部により検出された生体情報が異常か否かを判定する生体情報判定手段と、該生体情報判定手段により異常であるとの判定がなされ、かつ、情報管理部から送信されてくる信号が受信手段により受信されない場合に、生体情報の異常を外部に報知する報知手段とを備えることとしてもよい。
【００１１】
このようにすることで、検出部により検出された生体情報が生体情報判定手段の作動により異常であると判定された緊急事態において、通信経路に異常が発生した可能性がある場合に、報知手段の作動により、生体情報の異常を外部に報知することができる。異常のある生体情報が情報管理部に送られてからとられる緊急配備体制よりも早く緊急事態を外部に報知することができる。
【００１２】
また、本発明は、患者に装着され患者の生体情報を測定して送信する生体情報測定装置と、該生体情報測定装置から送信されてきた生体情報を管理する情報管理部と、前記生体情報測定装置と情報管理部とを接続する複数の通信経路とを備え、前記情報管理部は、一の通信経路を介して前記生体情報測定装置に対し問い合わせ信号を送信し、該問い合わせ信号に対する生体情報測定装置からの応答信号を受信できない場合に、通信経路を切り替えて問い合わせ信号および応答信号の送受信を行う生体情報測定システムを提供する。
【００１３】
本発明によれば、情報管理部が生体情報測定装置に対し問い合わせ信号を送信し、該問い合わせ信号に対する生体情報測定装置からの応答信号を受信できない場合には、生体情報測定装置自体あるいは通信経路の異常が考えられるので、情報管理部が通信経路を切り替えて問い合わせ信号および応答信号の送受信を行うことで、通信経路の不具合なのか生体情報測定装置の不具合なのかを確認することが可能となる。通信経路の不具合であった場合には、通信経路の切替により生体情報を取得することができる。
【００１４】
また、本発明は、患者に装着され患者の生体情報を測定して送信する生体情報測定装置と、該生体情報測定装置から送信されてきた生体情報を管理する情報管理部と、前記生体情報測定装置と情報管理部とを接続する複数の通信経路とを備え、前記生体情報測定装置は、一の通信経路を介して前記情報管理部に対し問い合わせ信号を送信し、該問い合わせ信号に対する情報管理部からの応答信号を受信できない場合に、通信経路を切り替えて問い合わせ信号および応答信号の送受信を行う生体情報測定システムを提供する。
【００１５】
本発明によれば、患者に装着された生体情報測定装置が患者の生体情報を測定して、一の通信経路を介して情報管理部に送信するとともに、生体情報測定装置が情報管理部に対し、同一の通信経路を介して問い合わせ信号を送信する。情報管理部においては問い合わせ信号が受信された場合にはこれに対する応答信号を出力する。生体情報測定装置は情報管理部からの応答信号が受信された場合に、通信経路が正常であると判断できる。一方、生体情報測定装置が情報管理部からの応答信号を受信しない場合には、通信経路に何らかの異常があると判断できるので通信経路を切り替えて問い合わせ信号および応答信号の送受信を行うことにより、切り替えた通信経路が正常であることを確認し、生体情報を情報管理部に送信することが可能となる。
【００１６】
上記発明においては、前記生体情報測定装置が、測定された生体情報の異常を判定する生体情報判定手段と、生体情報を送信する近距離無線通信手段とを備えるとともに、前記生体情報判定手段により異常であるとの判定がなされ、かつ、情報管理部からの応答信号が受信されない場合に、送信手段の出力をより高出力に切り替えて生体情報を送信することとしてもよい。
【００１７】
このようにすることで、測定された生体情報は近距離無線通信手段からなる送信手段により、近距離に配置された中継点を介して情報管理部に送信される。測定された生体情報が生体情報判定手段の作動により異常であると判定されたときは緊急事態であり、迅速に情報管理部に生体情報を送信する必要があるが、情報管理部から送信されてくる応答信号が受信されない場合には、通信経路に異常がある可能性が高い。本発明によれば、このような場合により出力の高い通信経路を選択することにより、近距離無線通信手段による通信距離を延長させて、より遠くの中継点に対し生体情報を送信することが可能となる。これにより、通信経路の中継点において異常が発生していても情報管理部に生体情報を送信することができる。また、緊急時のみに出力を増大させるので、通常に消費電力を抑え、バッテリの消耗を抑制することができる。
【００１８】
また、上記発明においては、前記生体情報測定装置が、測定された生体情報が異常か否かを判定する生体情報判定手段と、該生体情報判定手段により異常であるとの判定がなされ、かつ、情報管理部から送信されてくる信号が受信手段により受信されない場合に、生体情報の異常を外部に報知する報知手段とを備えることとしてもよい。
【００１９】
このようにすることで、測定された生体情報が生体情報判定手段の作動により異常であると判定された緊急事態において、通信経路に異常が発生した可能性がある場合に、報知手段の作動により、生体情報の異常を外部に報知することができる。異常のある生体情報が情報管理部に送られてからとられる緊急配備体制よりも早く緊急事態を外部に報知することができる。
【発明の効果】
【００２０】
本発明によれば、センサから情報管理部までの通信経路に異常が発生した場合においても連絡が途絶してしまうことを回避することができるという効果を奏する。
【発明を実施するための最良の形態】
【００２１】
本発明の一実施形態に係る生体情報測定システム１について、図１〜図６を参照して以下に説明する。
本実施形態に係る生体情報測定システム１は、各患者Ｘの生体情報を検出する種々のセンサ２を有し、取得した生体情報を無線送信する生体情報測定装置３と、該生体情報測定装置３から送信された生体情報等の情報を送受信するホームサーバ４と、前記生体情報測定装置３において測定された生体情報を管理するコールセンターに配置された管理サーバ（情報管理部）５と、これらサーバ４，５を接続する複数のネットワーク６，７とを備えている。
【００２２】
患者Ｘの生体情報としては、脈波、心音、血中酸素飽和度、血糖値、睡眠量、体温などが挙げられる。
生体情報測定装置３としては、例えば、脈波の場合は脈波計、心拍の場合は心拍計、血中酸素飽和度の場合はパルスオキシメータ、血糖値の場合は血糖値測定器、体温の場合は体温計のように、患者Ｘの身体に常時装着状態に維持されて、所定の測定期間にわたって継続的に生体情報を取得し続けることができるウェアラブルセンサが採用されている。  
【００２３】
生体情報測定装置３は、図２に示されるように、測定した生体情報をホームサーバ４に向けて無線送信する通信部（送信手段、受信手段）８と、該通信部８を介して送受信される情報を処理するとともに通信部８を制御する制御部（生体情報判断部）９と、ホームサーバ４からの信号および生体情報に基づいて、外部に情報を報知する報知部１０とを備えている。
通信部８は、近距離無線通信手段であり、通常時は、所定の出力に設定され、患者Ｘの自宅内に設置されているホームサーバ４まで届く範囲Ｚ１の通信距離を有している。また、通信部８は、制御部９からの指令により、緊急時には通常時よりも高い出力に切り替えることができるようになっている。
【００２４】
制御部９は、センサ２により測定した生体情報を受信し、通信部８を介して管理サーバ５に送信するとともに、受信した生体情報が正常であるか否かを判断するようになっている。制御部９における判断は、例えば、当該患者Ｘの基準となる生体情報のしきい値を記憶していて、そのしきい値と現在の生体情報とを比較することにより行うことができる。
【００２５】
また、制御部９は、定期的に問い合わせ信号を発生し、通信部８を介して管理サーバ５に送信する一方、管理サーバ５から送信され通信部８を介して受信された各種信号を受信するようになっている。各種信号としては、前記問い合わせ信号に対する応答信号、管理サーバ５からのポーリング信号、管理サーバ５から出力された患者Ｘに対する指示情報などがある。
【００２６】
また、制御部９においては、問い合わせ信号に対する応答信号が受信されていることにより、通信経路に異常が発生していないことが確認されるようになっている。逆に、制御部９においては、応答信号が受信されない場合には、現在の通信経路に異常が発生していると判断するようになっている。そして、制御部９は、応答信号が受信されず、かつ、生体情報が異常であると判断された場合に、通信部８に対し、近距離無線通信の出力を高い出力に切り替えるように切替指令信号を出力するようになっている。
【００２７】
近距離無線通信可能な端末は点在しているので、生体情報測定装置３の通信部８の出力を増大させることにより、図３に示されるように、近距離無線通信の届く範囲Ｚ２を拡大し、当該患者Ｘの自宅内のホームサーバ４以外の点在している端末を介した別の通信経路を確立することができるようになっている。端末としては、例えば、隣家のホームサーバ４あるいは生体情報測定装置３や、図示しない携帯電話機等が考えられる。さらに、ホームサーバ４からネットワーク６への経路８１および隣家のホームサーバ４からネットワーク６への経路８２にともに異常があるときには、アドホック通信により隣家のホームサーバ４を経由し、さらにその隣家にあるホームサーバ４からネットワーク６への経路８３〜８５を経由して通信回線を確保する。
【００２８】
また、制御部９は、応答信号が受信されず、かつ、生体情報が異常であると判断された場合に、報知部１０に対して、患者Ｘに異常が発生したことを外部に知らせるよう、報知指令を出力するようになっている。報知部１０は、例えば、音声発生手段であって、制御部９からの報知指令に従って大音量により異常事態の発生を報知するようになっている。
報知部１０は、通常時には、通信部８を介して管理サーバ５から送られてきた患者Ｘに対する指示情報を患者Ｘに対して報知するようになっている。
【００２９】
また、制御部９は、通信部８を介して受信した管理サーバ５からのポーリング信号に応答して確認信号を出力し、通信部８を介して同じ通信経路で確認信号を管理サーバ５に送信させるようになっている。
前記ネットワーク６，７は、無線通信網、電話回線網、携帯電話通信網、地上波ディジタル放送への情報多重通信網等任意のものでよい。各ホームサーバ４と管理サーバ５との間には２以上のネットワーク６，７が接続されている。通常時は、図１または図３に示されるように、一のネットワーク６が選択されて使用され、異常発生時には他のネットワーク７に切り替えることができるようになっている。
【００３０】
管理サーバ５は、ネットワーク６，７を介してホームサーバ４との間で各種情報を送受信する通信部１１と、通信部１１により送受信される各種情報を処理するとともに、通信部１１を制御する制御部１２と、生体情報測定装置３から送られてきた生体情報を表示する表示部１３と、オペレータから患者Ｘへの指示情報を入力する入力部１４と、送信されてきた生体情報を蓄積する記憶部１５とを備えている。
【００３１】
制御部１２は、生体情報測定装置３に対するポーリング信号を定期的に発生して出力する一方、ポーリング信号に対する生体情報測定装置３からの確認信号を監視するようになっている。また、制御部１２は、生体情報測定装置３から送られてくる問い合わせ信号を受信した際に応答信号を発生して出力するようになっている。
【００３２】
また、制御部１２は、生体情報測定装置３から送られてくる生体情報を受信し、受信した生体情報が正常であるか否かを判断するようになっている。制御部１２における判断は、上記生体情報測定装置３における制御部９の判断と同様、例えば、当該患者Ｘの基準となる生体情報のしきい値を記憶していて、そのしきい値と現在の生体情報とを比較することにより行うことができる。
【００３３】
このように構成された本実施形態に係る生体情報測定装置３および生体情報測定システム１の作用について以下に説明する。
本実施形態に係る生体情報測定装置３によれば、該生体情報測定装置３が患者Ｘに装着され、各種センサ２が作動させられることによって、患者Ｘの種々の生体情報が継続的に検出される。検出された生体情報は、制御部９に入力され、制御部９において正常値か否かの判断が行われる（図６のステップＳ３）。
【００３４】
生体情報が正常値を示している場合には、制御部９は、報知部１０による外部への報知を行うことなく、入力された生体情報をそのまま通信部８を介して、管理サーバ５に向けて送信する。
また、制御部９は、管理サーバ５に対して定期的に問い合わせ信号を送信し（ステップＳ１）、管理サーバ５から送られてくる応答信号を監視する（ステップＳ２）。
【００３５】
この場合において、制御部９では、管理サーバ５からの応答信号が受信できず、かつ、検出された生体情報に異常が発生している場合には、通信部８に対し、出力を切り替えるよう切替指令を出力する。これに応じて通信部８は、出力をより高く切り替える（ステップＳ４）。このようにすることで、図３に示されるように、生体情報測定装置３の通信部８による無線通信の範囲Ｚ２が拡大される。その結果、自宅内のホームサーバ４よりも遠くに配置されている他の通信機器、例えば、隣家のホームサーバ４や生体情報測定装置３まで無線通信の範囲Ｚ２が拡大され、これらの通信機器を介した他の通信経路（アドホックネットワーク）により、生体情報が管理サーバ５に送信されるようになる。
【００３６】
生体情報測定装置３は、患者Ｘをケーブル等により拘束しないようにバッテリ駆動させるので、生体情報が正常値である場合には、出力をより小さく設定することにより、消費電力を抑制し、バッテリの消耗を抑えることができる。また、生体情報が異常値を示している場合においても、通常の通信経路が正常に確保されている場合には、出力をより小さく設定することにより消費電力を抑制することができる。
【００３７】
本実施形態に係る生体情報測定装置３においては、生体情報に異常が発生している状態で、かつ、通常の通信経路に異常がある場合にのみ、出力を高く切り替えてアドホックネットワークを構成するので、常に生体情報を管理サーバ５に送信することができる。これにより、生体情報に異常が発生している緊急時に、通信経路に異常がある場合においても連絡が途絶してしまうことを回避することができる。
【００３８】
さらに、制御部９は、管理サーバ５からの応答信号が受信できず、かつ、検出された生体情報に異常が発生している場合には、報知部１０に対し、生体情報に異常がある旨の報知指令を出力する（ステップＳ５）。これにより、報知部１０から外部に対し異常事態を報知することができる。これらのステップＳ１〜Ｓ５は、生体情報の測定が終了するまで継続される（ステップＳ６）。
【００３９】
また、本実施形態に係る生体情報測定システム１においては、生体情報測定装置３からホームサーバ４およびネットワーク６を介して、コールセンターに配置された管理サーバ５に送信されてきた生体情報は、通信部１１から制御部１２に入力され、表示部１３に表示され、記憶部１４に蓄積される。また、生体情報は制御部１２において異常の有無が判断される（図７のステップＳ１４）。
【００４０】
この場合において、制御部１２においては、生体情報測定装置３に対し定期的にポーリング信号（問い合わせ信号）が出力され（ステップＳ１１）、該ポーリング信号に応答する確認信号（応答信号）が監視される（ステップＳ１２）。確認信号が受信されない場合には、ネットワーク６における異常の可能性があるので、制御部１２は通信部１１に対し、通信経路を他のネットワーク７に切り替えるよう経路切替指令を出力する。これにより、図５に示されるように、通信部１１を介したポーリング信号および確認信号の送受信が他のネットワーク７を介して行われ、正常な通信経路が確保される（ステップＳ１３）。
【００４１】
制御部１２において、生体情報に異常があると判断された場合には、入力部１４から入力されたオペレータによる指示情報が、通信部１１およびネットワーク６，７を介して生体情報測定装置３に送られ、生体情報測定装置３の報知部１０により患者Ｘに対し報知される（ステップＳ１５）。また、生体情報が特に緊急度の高い異常を示す場合には、緊急信号が外部に出力され、緊急車両や医師の手配が行われる（ステップＳ１６）。これらステップＳ１１〜Ｓ１６は、生体情報の測定が終了するまで繰り返される（ステップＳ１７）。
【００４２】
このように、本実施形態に係る生体情報測定システム１によれば、コールセンターの管理サーバ５が、ポーリング信号に対する確認信号を監視することで、ネットワーク６，７の異常を検出し、異常が発生した場合にはネットワーク６，７を切り替えるので、常に正常な通信経路を確保することができる。したがって、生体情報の測定を行っている患者Ｘからの連絡が途絶してしまうことを回避することができる。
【００４３】
なお、本実施形態に係る生体情報測定装置３においては、制御部９が、通信部８の出力切替を行うことで、アドホック通信を経由した通信に切り替える場合について説明したが、これに代えて、電話回線他の通信経路に切り替えることとしてもよい。また、２つのネットワーク６，７を有する生体情報測定システム１について開示したが、これに代えて、３以上のネットワークを有する生体情報測定システム１を採用してもよい。
【００４４】
また、本実施形態に係る生体情報測定システム１においては、コールセンターにおける管理サーバ５に、患者Ｘの所在地近辺の知人、子供あるいは親戚の連絡先を登録しておき、管理サーバ５からの緊急配備指令を出力する際に、登録されている連絡先に対しても自動的に連絡することとしてもよい。
【図面の簡単な説明】
【００４５】
【図１】本発明の一実施形態に係る生体情報測定システムを示す全体構成図である。
【図２】図１の生体情報測定システムにおける生体情報測定装置内の構造を示すブロック図である。
【図３】図１の生体情報測定システムにおいて自宅内のホームサーバに異常が発生し、通信経路が切り替えられた状態を示す全体構成図である。
【図４】図１の生体情報測定システムにおける管理サーバ内の構造を示すブロック図である。
【図５】図１の生体情報測定システムにおいて、一のネットワークに異常が発生し、他のネットワークに切り替えられた状態を示す全体構成図である。
【図６】生体情報測定装置の動作を説明するフローチャートである。
【図７】管理サーバの動作を説明するフローチャートである。
【符号の説明】
【００４６】
Ｘ  患者
１  生体情報測定システム
２  センサ（検出部）
３  生体情報測定装置
５  管理サーバ（情報管理部）
６，７  ネットワーク（通信経路）
８  通信部（送信手段、受信手段）
９  制御部（生体情報判定手段）
１０  報知部（報知手段
【図１】
2007209436.tif 000003
【図２】
2007209436.tif 000004
【図３】
2007209436.tif 000005
【図４】
2007209436.tif 000006
【図５】
2007209436.tif 000007
【図６】
2007209436.tif 000008
【図７】
2007209436.tif 000009